(57)【要約】【課題】  ユーザが自己の都合に応じて任意の住宅設備機器等を組み合わせて連動させる変更を加えることが供用開始後であってもユーザ自身の操作によって可能となる遠隔監視及び遠隔制御システムを提供する。【解決手段】  監視サーバ２と、ＨＡ端末５ａ，５ｂを接続したアダプタ４とを公衆電話回線７で通信接続する。暖房端末９４，９５の端末コントローラ９４１，９５１をアダプタの制御部４１と熱源機コントローラ９１を介して通信接続して作動に関する情報の授受を可能とする。熱源機リモコン９２に連動設定手段９３を備え、ユーザ操作に基づき連動設定情報の入力設定や、制御部４１への送信を可能とする。制御部４１は受信した連動設定情報を記憶し、ユーザ自身が関連付けした暖房端末９４とＨＡ端末５ａとの相互間を連動制御する。【選択図】      図３
2007166045.tif 000002
【特許請求の範囲】
【請求項１】
遠隔監視及び遠隔制御を実行する監視サーバに対し公衆通信回線網を介して接続される遠隔監視及び遠隔制御の対象となる対象システムが、上記公衆通信回線網を通じて通信制御を行う通信制御装置と、熱源機を作動制御する熱源機コントローラと、それぞれＨＡ端子が設けられた２以上の任意数のＨＡ端末と、上記熱源機コントローラ及びＨＡ端末の作動の監視及び制御について上記通信制御装置を介して監視サーバとの間の中継制御を実行する中継制御装置とを備え、この中継制御装置が上記熱源機コントローラを双方向通信可能に接続する第１通信インタフェース手段と、上記ＨＡ端末とＨＡ端子を介して個別に双方向通信可能に接続する第２通信インタフェース手段とを備えてなる遠隔監視及び遠隔制御システムにおいて、
上記熱源機コントローラに接続される熱源機リモコンと、不揮発性メモリにより構成された記憶装置とを備え、
上記熱源機リモコンは、上記２以上のＨＡ端末の内から任意に選択したＨＡ端末同士の組み合わせについて相互に関連付けて連動制御させるための連動設定をユーザ操作に基づき入力可能な連動設定手段を備え、
上記記憶装置は、この連動設定手段により入力設定された連動設定情報をその入力設定操作に基づき記憶するように構成され、
上記中継制御装置は、上記記憶装置に記憶された連動設定情報及び上記監視サーバからの送信情報に基づき上記関連付けされたＨＡ端末同士の組み合わせについて連動制御を実行する制御手段を備えている
ことを特徴とする遠隔監視及び遠隔制御システム。
【請求項２】
遠隔監視及び遠隔制御を実行する監視サーバに対し公衆通信回線網を介して接続される遠隔監視及び遠隔制御の対象となる対象システムが、上記公衆通信回線網を通じて通信制御を行う通信制御装置と、熱源機を作動制御する熱源機コントローラと、上記熱源機から温水の循環供給を受ける１又は２以上の暖房端末毎に個別に設けられ上記熱源機コントローラと双方向通信可能に接続されて各暖房端末の作動制御を行う１又は２以上の端末コントローラと、それぞれＨＡ端子が設けられた１又は２以上の任意数のＨＡ端末と、上記熱源機コントローラ、端末コントローラ及びＨＡ端末の作動の監視及び制御について上記通信制御装置を介して監視サーバとの間の中継制御を実行する中継制御装置とを備え、この中継制御装置が上記熱源機コントローラを双方向通信可能に接続する第１通信インタフェース手段と、上記ＨＡ端末とＨＡ端子を介して個別に双方向通信可能に接続する第２通信インタフェース手段とを備えてなる遠隔監視及び遠隔制御システムにおいて、
上記熱源機コントローラに接続される熱源機リモコンと、不揮発性メモリにより構成された記憶装置とを備え、
上記熱源機リモコンは、上記端末コントローラから任意に選択した端末コントローラと、上記ＨＡ端末から任意に選択したＨＡ端末との組み合わせについて相互に関連付けて連動制御させるための連動設定をユーザ操作に基づき入力可能な連動設定手段を備え、
上記記憶装置は、この連動設定手段により入力設定された連動設定情報をその入力設定操作に基づき記憶するように構成され、
上記中継制御装置は、上記記憶装置に記憶された連動設定情報及び上記監視サーバからの送信情報に基づき上記関連付けされた端末コントローラとＨＡ端末との組み合わせについて連動制御を実行する制御手段を備えている
ことを特徴とする遠隔監視及び遠隔制御システム。
【請求項３】
請求項１又は請求項２に記載の遠隔監視及び遠隔制御システムであって、
上記記憶装置は上記中継制御装置に備えられ、
上記熱源機リモコンは、上記連動設定情報を上記中継制御装置に対し送信可能に上記第１通信インタフェース手段を介して上記中継制御装置と接続されている、遠隔監視及び遠隔制御システム。
【発明の詳細な説明】
【技術分野】
【０００１】
本発明は、住宅内の各種の家電機器や住宅設備機器のＯＮ／ＯＦＦ状況を外部から把握したり、それらを外部からＯＮ／ＯＦＦしたりするために用いられる遠隔監視及び遠隔制御システムに関し、特に一つの機器の動作によって他の機器も連動して動作させることを可能とする連動設定をユーザの都合に応じた組み合わせでユーザ自身が行うことを可能とする技術に係る。
【背景技術】
【０００２】
従来、住宅内に設置された照明器具，エアコン，電気錠等の複数の家庭機器を一つのコントローラで制御したりモニタしたりするためのホームオートメーションシステム（ＨＡシステム）が提唱され、その実現のためにＨＡ端子（ＪＥＭ−Ａ）という規格が規定されている（日本電気工業会規格ＪＥＭ１４２７）。要するに、ＨＡ端子とは、コントローラ側と、制御・モニタ対象の複数の各種機器との間で制御信号やモニタ信号を伝送するために用いられる端子のことであり、このＨＡ端子を設けることによりその機器はＨＡシステムにおいてコントローラによる制御・モニタ対象であるＨＡ端末となる。ここで、かかるＨＡ端末は制御・モニタされる作動状況が２値で表現される機器が対象となるため、制御・モニタの内容は原則として運転のＯＮ／ＯＦＦ、点灯／消灯、開作動／閉作動、あるいは、解錠／施錠という作動状態とされている。
【０００３】
そして、このようなＨＡシステムやＨＡ端子を利用して、住宅内に設置された照明器具等のＨＡ端末や、ガス給湯機等の熱源機を、外部（住宅とは離れた遠隔地）に設置した監視サーバにより遠隔監視（モニタ）したり遠隔制御したりする遠隔監視及び遠隔制御システムの提案も行われている（例えば特許文献１参照）。これは、住宅側において熱源機やＨＡ端子が接続されたコントローラ（ホームコントローラ）と、外部に設置された監視サーバとを公衆電話回線により互いに接続し、監視サーバからの指令を各住宅側のコントローラに伝送することによってその住宅内の熱源機やＨＡ端末を遠隔監視したり遠隔制御したりするようにしたものである。この場合、公衆電話回線を通じて通信するための情報変換等の機能を備えた通信制御装置としてのＴ−ＮＣＵ（Terminal Network Control Unit）が各住宅側に設置され、上記コントローラはこのＴ−ＮＣＵを介して公衆電話回線と接続されることにより監視サーバとの間での信号伝送が可能となる。
【０００４】
又、上記のＨＡシステムとして、ホームコントローラに玄関扉の電気錠と、門扉の電気錠とを制御対象とし、例えば住宅から外出するときにユーザが玄関扉の電気錠の解錠操作を行うと、その玄関扉の電気錠が解錠されると同時に、門扉の電気錠も連動して解錠されるというように、２種類の電気錠の作動を関連付けたものも提案されている（例えば特許文献２参照）。
【０００５】
【特許文献１】特開平２００５−２１７８２６号公報
【特許文献２】特開平１１−１３１８７５号公報
【発明の開示】
【発明が解決しようとする課題】
【０００６】
ところで、上記従来の遠隔監視及び遠隔制御システムにおいては、照明設備、エアコン、電動窓あるいは熱源機というように、それぞれを個別にモニタしたり制御したりするものであるため、ユーザの利便性に欠ける場合がある。例えば、電動雨戸（電動シャッター）を閉作動させるためのスイッチ操作をしても、あるいは、外部の監視サーバからの指令に基づく遠隔制御により閉作動されても、室内の照明器具は別個に点灯のためのスイッチ操作をしたり遠隔制御に基づく点灯作動が行われたりしなければ、消灯状態のままであるため、利便性に欠けることになる。これに対し、例えば、電動雨戸（電動シャッター）を閉作動させるためのスイッチ操作をすると、あるいは、外部の監視サーバからの指令に基づく遠隔制御により閉作動されると、室内の照明器具が自動的に点灯作動するというように、連動作動すれば、ユーザにとっての利便性は向上すると考えられる。このため、上記の特許文献２によっても、玄関扉と門扉との双方の電気錠について一方の作動により他方を連動させて作動させるための接続の追加設定等が現実に提案されている。
【０００７】
しかしながら、かかる連動設定はその組み合わせ如何によりユーザにとっては逆に不便を強いる結果を招くことになる上に、自己の生活スタイルに適合した連動設定を行いたくてもユーザにはその手立てもなく利便性の提供には限界のあるのが実情である。
【０００８】
すなわち、特許文献２で提案された如き玄関扉と門扉というように日常生活における関連性に強い普遍性のある対象同士であれば、ユーザにとっては便宜であると一般的に言えるものの、住宅設備機器として極めて多数の対象が存在する現状では、複数の住宅設備機器の作動を事前にかつ固定的に連動させる構成にしてしまうと、ユーザにとって逆に不便なものとなると考えられる。
【０００９】
つまり、一つの住宅内に設置されている住宅設備機器として、各種の照明器具、各場所の電動雨戸、各場所の電気錠、各場所の電動開閉窓、各場所のエアコンというようにその種類・数は多岐多数にのぼる上に、炊飯器や冷蔵庫等の家電機器も多岐にわたっている。さらに、熱源機が温水暖房機能を備えたものであれば、その熱源機に対し各場所の床暖房機や浴室乾燥機等の暖房端末が接続され、熱源機単体だけではなくてこれらの暖房端末も住宅設備機器の一部となる。そして、これら多数の住宅設備機器や家電機器の内から何と何とを連動させるのが便宜であるかの事情は、各住宅に住まうユーザの家族構成、年齢層や生活スタイル等の如何によって全く異なるため、ユーザに提供されるシステム又は製品として、ある特定の組み合わせに対し連動設定が事前にかつ固定的に装置構成に組み入れられていると、ユーザにとっては逆に不便なものとなる。ある一つの住宅設備機器についての自己の作動操作又は自動制御に基づく作動によって、ユーザが意図しないあるいは望まない他の住宅設備機器にも連動作動が生じると、その住宅設備機器を後で解除操作せざるを得なくなり、余分な手間がかかることになる。
【００１０】
一方、ユーザが自己の住宅内に設置されている住宅設備機器について、自己の生活スタイルに基づく都合に応じて任意に複数のものを組み合わせて連動設定しようとしても、上記のホームコントローラが収容されたアダプタや熱源機等は集合住宅であるとパイプシャフト扉内に設置されている上に、ユーザ自身により連動設定のための改造を行うのは非現実的であり不可能であるのが現状である。
【００１１】
本発明は、このような事情に鑑みてなされたものであり、その目的とするところは、ユーザが自己の都合に応じて任意の住宅設備機器等を組み合わせて連動させる変更を加えることが供用開始後であってもユーザ自身の操作によって可能となる遠隔監視及び遠隔制御システムを提供することにある。
【課題を解決するための手段】
【００１２】
上記目的を達成するために、請求項１に係る発明では、遠隔監視及び遠隔制御を実行する監視サーバに対し公衆通信回線網を介して接続される遠隔監視及び遠隔制御の対象となる対象システムが、上記公衆通信回線網を通じて通信制御を行う通信制御装置と、熱源機を作動制御する熱源機コントローラと、それぞれＨＡ端子が設けられた２以上の任意数のＨＡ端末と、上記熱源機コントローラ及びＨＡ端末の作動の監視及び制御について上記通信制御装置を介して監視サーバとの間の中継制御を実行する中継制御装置とを備え、この中継制御装置が上記熱源機コントローラを双方向通信可能に接続する第１通信インタフェース手段と、上記ＨＡ端末とＨＡ端子を介して個別に双方向通信可能に接続する第２通信インタフェース手段とを備えてなる遠隔監視及び遠隔制御システムを対象にして、次の特定事項を備えることとした。すなわち、上記熱源機コントローラに接続される熱源機リモコンと、不揮発性メモリにより構成された記憶装置とを備え、上記熱源機リモコンとして、上記２以上のＨＡ端末の内から任意に選択したＨＡ端末同士の組み合わせについて相互に関連付けて連動制御させるための連動設定をユーザ操作に基づき入力可能な連動設定手段を備える構成とし、上記記憶装置として、この連動設定手段により入力設定された連動設定情報をその入力設定操作に基づき記憶する構成とする。そして、上記中継制御装置として、上記記憶装置に記憶された連動設定情報及び上記監視サーバからの送信情報に基づき上記関連付けされたＨＡ端末同士の組み合わせについて連動制御を実行する制御手段を備える構成とした。
【００１３】
この請求項１に係る発明の場合、例えばユーザが自己の住宅内に設置されている電動雨戸、玄関扉等の電子錠、及び、各部屋の照明器具等々の２以上のＨＡ端末の内から、自己の生活スタイル等の事情や都合に応じて便宜な組み合わせを任意に選択し、その組み合わせたＨＡ端末同士の動作ルールを自己の都合等に応じて関連付けした連動設定を熱源機リモコンの連動設定手段によってユーザ自身の入力操作で行うことができるようになる。つまり、ＨＡシステムの進展に伴い多数のＨＡ端末が住宅内に設置されてはいるものの、従来システムではそれらが個々の制御に基づく個別作動である上に、連動させたくてもシステムの設置後は改造等が不能であったところ、本発明では個々のユーザ毎に異なる使用上の事情や都合に対応した連動設定をユーザ自身の手によって後のどの使用時点においても行い得るようになり、ユーザにとっての利便性が飛躍的に向上することになる。
【００１４】
又、請求項２に係る発明では、遠隔監視及び遠隔制御を実行する監視サーバに対し公衆通信回線網を介して接続される遠隔監視及び遠隔制御の対象となる対象システムが、上記公衆通信回線網を通じて通信制御を行う通信制御装置と、熱源機を作動制御する熱源機コントローラと、上記熱源機から温水の循環供給を受ける１又は２以上の暖房端末毎に個別に設けられ上記熱源機コントローラと双方向通信可能に接続されて各暖房端末の作動制御を行う１又は２以上の端末コントローラと、それぞれＨＡ端子が設けられた１又は２以上の任意数のＨＡ端末と、上記熱源機コントローラ、端末コントローラ及びＨＡ端末の作動の監視及び制御について上記通信制御装置を介して監視サーバとの間の中継制御を実行する中継制御装置とを備え、この中継制御装置が上記熱源機コントローラを双方向通信可能に接続する第１通信インタフェース手段と、上記ＨＡ端末とＨＡ端子を介して個別に双方向通信可能に接続する第２通信インタフェース手段とを備えてなる遠隔監視及び遠隔制御システムを対象にして次の特定事項を備えることとした。すなわち、上記熱源機コントローラに接続される熱源機リモコンと、不揮発性メモリにより構成された記憶装置とを備え、上記熱源機リモコンとして、上記端末コントローラから任意に選択した端末コントローラと、上記ＨＡ端末から任意に選択したＨＡ端末との組み合わせについて相互に関連付けて連動制御させるための連動設定をユーザ操作に基づき入力可能な連動設定手段を備える構成とし、上記記憶装置として、この連動設定手段により入力設定された連動設定情報をその入力設定操作に基づき記憶する構成とする。そして、上記中継制御装置として、上記記憶装置に記憶された連動設定情報及び上記監視サーバからの送信情報に基づき上記関連付けされた端末コントローラとＨＡ端末との組み合わせについて連動制御を実行する制御手段を備える構成とした。
【００１５】
この請求項２に係る発明の場合、ユーザが自己の生活スタイル等の事情や都合に応じて、自己の住宅内に設置されている電動雨戸、玄関扉等の電子錠、及び、各部屋の照明器具等々の１又は２以上のＨＡ端末の内から任意に選択したＨＡ端末と、熱源機に接続された浴室乾燥機や床暖房機等の１又は２以上の暖房端末から任意に選択した暖房端末との組み合わせを設定し、その組み合わせたＨＡ端末と暖房端末との間の相互の動作ルールを自己の都合等に応じて関連付けした連動設定を熱源機リモコンの連動設定手段によってユーザ自身の入力操作で行うことができるようになる。つまり、ＨＡシステムの進展に伴い多数のＨＡ端末が住宅内に設置されてはいるものの、従来システムではそれらが個々の制御に基づく個別作動であり、連動させたくてもシステムの設置後は改造等が不能である上に、熱源機側の暖房端末はＨＡ端末とは全く異なる制御体系であって両者を連動させたくても不能であったところ、本発明では暖房端末の動作とＨＡ端末の動作との相互間での連動設定が可能になる上に、その連動設定を個々のユーザ毎に異なる使用上の事情や都合に対応して関連付けてユーザ自身の手によって後のどの使用時点においても行い得るようになり、ユーザにとっての利便性が飛躍的に向上することになる。
【００１６】
又、以上の請求項１又は請求項２に係る発明の場合、記憶装置は不揮発性メモリにより構成されているため、特に停電等の通電遮断状態に陥ったとしても、通電が復帰すればそれまでに記憶されている連動設定情報をそのまま利用することが可能であり、新たな入力設定操作を不要とすることが可能となる。このような記憶装置は、中継制御装置、熱源機リモコン、熱源機コントローラ、あるいは、その他に備えるようにすることができる。上記記憶装置を上記中継制御装置に備える場合には、上記熱源機リモコンは、上記連動設定情報を上記中継制御装置に対し送信可能に上記第１通信インタフェース手段を介して上記中継制御装置と接続させるようにすればよい(請求項３)。これにより、記憶装置は熱源機リモコンから送信された連動設定情報を記憶する一方、中継制御装置の制御手段は記憶装置に記憶された連動設定情報を直接に読み出して連動制御することが可能となる。
【発明の効果】
【００１７】
以上、説明したように、請求項１又は請求項３に係る遠隔監視及び遠隔制御システムによれば、ユーザが自己の住宅内に設置されている２以上のＨＡ端末の内から便宜な組み合わせを任意に選択し、その組み合わせたＨＡ端末同士の動作ルールを任意に関連付けした連動設定を熱源機リモコンの連動設定手段によってユーザ自身の入力操作で行うことができるようになる。これにより、ＨＡシステムの進展に伴い多数のＨＡ端末が住宅内に設置されてはいるものの、従来システムではそれらが個々の制御に基づく個別作動である上に、連動させたくてもシステムの設置後は改造等が不能であったところ、本発明では個々のユーザ毎に異なる使用上の事情や都合に対応した連動設定をユーザ自身の手によって後のどの使用時点においても行うことができるようになるため、ユーザにとっての利便性を飛躍的に向上させることができる。加えて、ユーザが入力設定し記憶装置に記憶した連動設定情報を、停電等の不意の通電遮断が生じても確実に記憶保持させて、電源復旧後の連動制御を新たな入力設定等の操作無しに実行させることができる。
【００１８】
又、請求項２又は請求項３に係る遠隔監視及び遠隔制御システムによれば、ユーザが自己の住宅内に設置されている１又は２以上のＨＡ端末の内から任意に選択したＨＡ端末と、熱源機に接続された１又は２以上の暖房端末から任意に選択した暖房端末との組み合わせを任意に選択し、その組み合わせたＨＡ端末と暖房端末との間の相互の動作ルールを自己の都合等に応じて任意に関連付けした連動設定を熱源機リモコンの連動設定手段によってユーザ自身の入力操作で行うことができるようになる。これにより、ＨＡシステムでのＨＡ端末と、このＨＡ端末とは全く異なる制御体系であって両者を連動させたくても不能であった暖房端末との相互の動作を連動させることができるようになる上に、その連動設定を生活スタイルの相違等により個々のユーザ毎に異なる使用上の事情や都合に対応して関連付けてユーザ自身の手によって後のどの使用時点においても行い得るようになるため、ユーザにとっての利便性を飛躍的に向上させることができる。加えて、上記と同様に、ユーザが入力設定し記憶装置に記憶した連動設定情報を、停電等の不意の通電遮断が生じても確実に記憶保持させて、電源復旧後の連動制御を新たな入力設定等の操作無しに実行させることができる。
【００１９】
特に請求項３によれば、記憶装置を中継制御装置に備えるようにすることにより、記憶装置は熱源機リモコンから送信された連動設定情報を確実に記憶することができる一方、中継制御装置の制御手段は記憶装置に記憶された連動設定情報を直接に読み出して連動制御することができるようになる。
【発明を実施するための最良の形態】
【００２０】
以下、本発明の実施形態を図面に基づいて説明する。
【００２１】
＜第１実施形態＞
図１は、本発明の第１実施形態に係る遠隔監視及び遠隔制御システムを示し、この遠隔監視及び遠隔制御システムは外部（例えばガス会社のサービスセンター等）に設置された監視サーバ２によって、住宅Ｈ内に設置されている各種の住宅設備機器の遠隔監視及び遠隔制御を行うものである。同図において、符号３はＴ−ＮＣＵ、４はアダプタ、５ａ，５ｂ，…は１又は２以上の任意数のＨＡ端末、６は熱源機、７は公衆通信回線網（本実施形態では公衆電話回線）である。
【００２２】
上記監視サーバ２は、ＣＰＵ，メモリ及びハードディスク等のサーバ機能を実現するための基本構成に加え、携帯端末（例えば携帯電話や、携帯情報端末）８との送受信を行うための通信手段や，遠隔監視及び遠隔制御の対象となる１又は２以上の任意数の住宅Ｈ，…と公衆電話回線７による情報の送受信を行うための通信手段等を備えて構成されている。そして、上記監視サーバ２は、遠隔監視及び遠隔制御用の所定のプログラムが組み込まれており、このプログラムに基づいて各種の機能を実行し得るようになっている。例えば、内蔵時計に基づいて所定の経過時間毎に発呼して遠隔監視対象の各住宅Ｈから各種のＨＡ端末５ａ，５ｂ，…等からのモニタ信号を集めたり、あるいは、各住宅Ｈ側からの発呼により送信されてくるモニタ信号を受け入れたりする遠隔監視機能や、予め設定された所定のタイミングが到来すれば特定の住宅Ｈの特定のＨＡ端末（例えば５ａ）等の作動をＯＮにするための制御信号をその住宅ＨのＴ−ＮＣＵ３に送信したり、携帯端末８からの指令情報を受信して対応する住宅Ｈの対応するＨＡ端末（例えば５ｂ）等を対応作動させる制御信号を上記と同様にＴ−ＮＣＵ３に送信したりする遠隔制御機能を実行するようになっている。なお、上記のモニタ信号とは、例えばＨＡ端末５ａ等であると運転がＯＮ状態かＯＦＦ状態かあるいは点灯状態か消灯状態か等の現在の作動状態を表す２値情報のことである。
【００２３】
Ｔ−ＮＣＵ３は、基本的には、公衆電話回線７を通じて監視サーバ２から伝送される情報をアダプタ４の後述の制御部４１に受信させるために変換したり、逆に、制御部４１から監視サーバ２に対し送信する情報を公衆電話回線７を通じて伝送するために変換したりするものである。このＴ−ＮＣＵ３によって、公衆電話回線７を通じて送受信するための通信制御装置が構成されている。
【００２４】
アダプタ４は、ホームコントローラとしての役割を果たす制御手段としての制御部４１と、記憶装置として書き込み及び読み出しが可能な不揮発性メモリであるＥＥＰＲＯＭ４２と、通信規格の相違に対応した各種の通信インタフェース回路４３，４４，４５とを備えたものである。このアダプタ４によって、各種のＨＡ端末５ａ，５ｂ等及び熱源機６を監視サーバ２と連結するための中継制御装置が構成されている。上記制御部４１は、ＣＰＵや，メモリ等を備えたマイコンにより構成され、ホームコントローラとしての各種の基本機能や、後述の連動設定情報を受け付けてＥＥＰＲＯＭ４２に記憶したりその連動設定情報に基づき連動作動を登録して実行したりする連動機能等を実現するためのプログラムが予め組み込まれ、このプログラムに基づき上記の基本機能や連動機能が実行されることになる。
【００２５】
上記の通信インタフェース回路４３はＴ−ＮＣＵ３と制御部４１との間の相互通信（例えばＡライン通信）を可能とするものであり、制御部４１とＴ−ＮＣＵ３を介した監視サーバ２との情報の授受を行うようになっている。又、第１通信インタフェース手段を構成する通信インタフェース回路４４は熱源機６の作動制御を行う熱源機コントローラ６１と上記制御部４１との間の相互通信（例えば電源重畳２芯通信）を可能とするものである。さらに、第２通信インタフェース手段を構成する通信インタフェース回路４５は各種のＨＡ端末５ａ，５ｂ，…と制御部４１との間の相互通信を可能とするものであり、それぞれＨＡ端子を有する複数のポート（図例では３ポート分を図示）４５１，４５１，…を備えている。この通信インタフェース回路４５は、上記制御部４１からの指令情報を受けて対応するＨＡ端末（例えば５ａ）に対しＯＮ又はＯＦＦの制御信号を送信する一方、同じく制御部４１からの指令に基づき対応するＨＡ端末（例えば５ａ）からＯＮかＯＦＦかの作動状態を表すモニタ信号を受信して上記制御部４１に出力するようになっている。なお、上記の「ＯＮ」の制御信号又はモニタ信号とはＨＡ端末の種類に応じて「運転」・「点灯」・「開作動又は閉作動」・「施錠」等のＨＡ端末の動作状態を内容とする信号のことであり、「ＯＦＦ」の制御信号又はモニタ信号とは「運転停止」・「消灯」・「閉作動又は開作動」・「解錠」等のＨＡ端末の停止状態を内容とする信号のことである。上記の「開作動」・「閉作動」については、動作した状態が「ＯＮ」を意味し、動作していない通常の状態が「ＯＦＦ」を意味することになる。例えば通常が閉状態になる電動開閉窓（ＨＡ端末）であれば「ＯＮ」で「開作動」・「ＯＦＦ」で「閉作動」を意味する一方、通常が開状態になる電動雨戸又は電動シャッター（ＨＡ端末）であれば「ＯＮ」で「閉作動」・「ＯＦＦ」で「開作動」を意味する。
【００２６】
ＨＡ端末５ａ，５ｂは、通信インタフェース回路４５のＨＡ端子４５１，４５１，…に対し１つずつ個別にかつ並列に接続され、これにより、通信インタフェース回路４５を介して制御部４１との間で制御信号及びモニタ信号の送受が可能となっている。ＨＡ端末５ａ，５ｂとしては例えば電動雨戸，照明器具，玄関扉の電子錠，電動開閉窓等が挙げられ、これらにＨＡ端子が設けられて監視及び制御対象のＨＡ端末とされる。
【００２７】
上記の熱源機６は例えばガス給湯器であり、このガス給湯器の作動を制御する熱源機コントローラ６１が上記通信インタフェース回路４４を介して制御部４１と双方向通信可能に接続されている。加えて、上記熱源機コントローラ６１に対し双方向通信可能に接続された熱源機リモコン６２が、上記通信インタフェース回路４４を介して制御部４１とも双方向通信可能に接続されている。なお、上記の熱源機リモコン６２は直接・間接を問わずに制御部４１と双方向通信可能に接続されていればよく、例えば熱源機リモコン６２が熱源機コントローラ６１にのみ双方向通信可能に接続されて、制御部４１とは熱源機コントローラ６１を介して双方向通信可能に接続された状態になっていてもよい。この点は、第２実施形態の熱源機リモコン９２（連動設定手段９３）及び熱源機コントローラ９１と、制御部４１との関係においても同様である。又、上記熱源機６としては、給湯単機能のガス給湯器に限られず、風呂追い焚き機能や温水循環式暖房機能等のいずれか１又は２以上の機能を併有した複合熱源器により構成されていても本発明の適用が可能であることはいうまでもない。
【００２８】
以上の遠隔監視及び遠隔制御システムにおいて、上記熱源機リモコン６２には、多種のＨＡ端末の内から任意に選択した２以上のＨＡ端末について連動動作をさせるための連動設定を行う連動設定手段６３が付加されている。この連動設定手段６３は、ユーザが連動設定情報を入力操作するための連動設定操作部と、この設定操作部により入力設定された連動設定情報を通信インタフェース回路４４を介して制御部４１に送信する送信処理部とを備えている。上記連動設定操作部は、熱源機リモコン６２に既設の操作スイッチ類や表示部６２１等を用いて連動設定情報を入力設定し得るようになっている。ここで、連動設定情報とは、アダプタ４に接続されているＨＡ端末５ａ，５ｂ，…の内から連動させたい任意の２以上のＨＡ端末（例えば５ａと５ｂとの２つ）の作動関係を関連付ける関連付け情報のことである。例えばＨＡ端末５ａがＯＮ作動（ユーザ操作に基づくＯＮ作動又は監視サーバ２からの制御信号に基づくＯＮ作動の別を問わない）されたことが検出されれば、ＨＡ端末５ｂを連動させて強制的にＯＮ作動又はＯＦＦ作動させる、という関連付け情報のことである。具体的には、関連付ける対象の２以上のＨＡ端末５ａ，５ｂの組み合わせは何かの関連付け対象の特定と、一方のＨＡ端末５ａ又は５ｂにおいてどのような動作内容（ＯＮ作動かＯＦＦ作動かの別）が検出されたら、他方のＨＡ端末５ｂ又は５ａにどのような動作内容（ＯＮ作動かＯＦＦ作動かの別）で連動動作させるのかの関連付け設定とで連動設定情報の内容が構成される。
【００２９】
そして、アダプタ４の制御部４１には、上記の熱源機リモコン６２から連動設定情報の送信が行われたら、その連動設定情報を受信してその連動設定情報をＥＥＰＲＯＭ４２に記憶設定する連動設定情報記憶処理部と、以後は記憶された連動設定情報に基づく関連付け設定を登録し関連付け対象の監視と連動制御とを実行するための連動処理部とからなる連動制御部が備えられている。これらの連動設定情報記憶処理部や連動処理部からなる連動制御部の機能は、予め組み込まれたプログラムの実行により実現される。
【００３０】
このような熱源機リモコン６２の連動設定手段６３による連動設定情報の設定や、制御部４１による監視及び連動制御を実現するために、電源重畳２芯通信を用いた熱源機リモコン６２とアダプタ４側との接続が行われることにより、熱源機リモコン６２ではアダプタ４の存在を自動認識し、そのアダプタ４に現在接続されているＨＡ端末５ａ，５ｂ，…は何かの接続リスト情報を自動取得するように構成されている。他方、アダプタ４の制御部４１側では上記と同様に熱源機リモコン６２が接続されればその存在を自動認識し、熱源機リモコン６２からの連動設定情報を受信することにより、連動設定情報記憶処理部や連動処理部が動作を開始するように構成されている。
【００３１】
以下、上記の制御部４１の機能について、連動に係る部分のみを抜き出して示した図２のフローチャートを参照しつつ説明すると、まず、ＨＡ端末の接続数が複数（２以上）であることを条件にして（ステップＳ１でＹＥＳ）、ＨＡ端末について連動設定情報の受信の有無を判定し、受信があればその今回受信した連動設定情報をＥＥＰＲＯＭ４２に記憶させる（ステップＳ２でＹＥＳ，ステップＳ３）。この場合、既に記憶設定されている関連付け対象と同じものについての連動設定情報であれば上書き保存し、新規の関連付け対象についての連動設定情報であればそのまま保存する。今回は連動設定情報の受信がなければステップＳ３を飛ばしてステップＳ４に進む（ステップＳ２でＮＯ）。
【００３２】
次に、ＨＡ端末５ａ，５ｂ，…のモニタ信号に基づいて関連付け対象のＨＡ端末（例えば５ａ）に所定の動作変化（作動状況の変化）があったか否かを判定する（ステップＳ４）。モニタ信号に基づいて検出する作動状況の変化とは、連動設定情報の関連付け設定が例えばＨＡ端末５ａがＯＦＦ状態からＯＮ作動されればＨＡ端末５ｂを連動させるというケースの場合であると、ＨＡ端末５ａのモニタ信号がＯＦＦからＯＮに変化したことをもって所定の動作変化が検出されたということになるし、逆に、関連付け設定が例えばＨＡ端末５ａがＯＮ状態からＯＦＦ作動されればＨＡ端末５ｂを連動させるというケースの場合であると、ＨＡ端末５ａのモニタ信号がＯＮからＯＦＦに変化したことをもって所定の動作変化が検出されたということになる。
【００３３】
そして、ステップＳ４で対象のＨＡ端末５ａの所定の動作変化が検出されれば（ステップＳ４でＹＥＳ）、そのＨＡ端末５ａと関連付けられて連動設定された他のＨＡ端末５ｂが接続されていることを確認した上で（ステップＳ５でＹＥＳ）、そのＨＡ端末５ｂに対し関連付け設定された所定の連動動作を行わせるための制御信号を送出して（ステップＳ６）、リターンさせる。上記のステップＳ４で所定の動作変化が検出されなければ（ステップＳ４でＮＯ）、そのままリターンする。ステップＳ５において、連動設定された他のＨＡ端末５ｂが接続されていない場合もリターンする（ステップＳ５でＮＯ）。
【００３４】
以上でユーザ自身が自己の事情や都合に応じて連動設定した対象のＨＡ端末５ｂをＨＡ端末５ａの作動と連動させて自動的に作動させることができるようになる。例示すると、ＨＡ端末５ａが電動雨戸で、ＨＡ端末５ｂがその電動雨戸が設置されている部屋の照明器具である場合に、ＨＡ端末５ａのＯＮ（閉動作）によりＨＡ端末５ｂを連動させてＯＮ（点灯）させるという連動設定をユーザが行った場合には、電動雨戸が閉められれば、これに連動してその部屋の照明器具も自動的に点灯されることになり、ユーザにとって利便性の向上が図られることになる。別の例としては、ＨＡ端末５ａが玄関扉の電子錠で、ＨＡ端末５ｂが照明器具である場合に、ＨＡ端末５ａのＯＮ（施錠）によりＨＡ端末５ｂを連動させてＯＦＦ（消灯）させるという連動設定をユーザが行った場合には、玄関扉が施錠されて外出する際には、これに連動して照明器具が自動的に消灯されることになり、ユーザにとって利便性の向上が図られる上に、照明器具の消し忘れが解消されて省エネルギー化も図れることになる。しかも、ユーザが入力設定した連動設定情報はＥＥＰＲＯＭ４２に記憶され、以後、この記憶情報に基づき連動制御が実行されるため、停電等が生じたとしても連動設定情報が消去されることもない。
【００３５】
＜第２実施形態＞
図３は本発明の第２実施形態に係る遠隔監視及び遠隔制御システムを示す。この第２実施形態は、第１実施形態と同様構成のシステムに加えて熱源機コントローラ９１に対しこの熱源機コントローラ９１により双方向通信の下で作動制御を行う１又は２以上（図例では３つ以上ある内の２つのみ図示）の双方向端末９４１，９５１，…が接続されている場合に、これら双方向端末９４１，９５１，…と、アダプタ４に接続されているＨＡ端末５ａ，５ｂ，…との間での連動設定及び連動動作を可能とするものである。なお、第１実施形態と同様構成のものには第１実施形態と同じ符号を付して、重複した詳細説明を省略する。
【００３６】
本実施形態の熱源機９は、温水循環式暖房機又は温水循環式暖房機能を備えた複合熱源器であり、熱源機９と、１又は２以上（上記と同様に図例では３つ以上ある内の２つのみ図示）の暖房端末９４，９５，…とは熱源機９からの暖房熱源用の温水を循環供給し得るように温水循環配管を介して接続されている。暖房端末９４，９５，…とは、循環供給を受けた温水の放熱により加熱した温風を吹き出して浴室内を乾燥させる浴室乾燥機や、上記の温水の放熱により室内を加温する床暖房機等のことであり、それぞれに端末コントローラ（以下「双方向端末」という）９４１，９５１，…が備えられている。この双方向端末９４１，９５１，…は、熱源機コントローラ９１と双方向通信可能に接続されている他、個別に端末リモコン９４２，９５２，…が接続されている場合がある（図３では全ての暖房端末に対し端末リモコンが接続されている場合を例示している）。そして、各双方向端末９４１，９５１，…は、端末リモコン９４２，９５２，…を用いたユーザ操作（ＯＮ操作／ＯＦＦ操作）によっても運転／停止の切換えが可能であるし、熱源機コントローラ９１からのＯＮ指令／ＯＦＦ指令を受信することによっても運転／停止の切換えが行われるようになっている。又、各双方向端末９４１，９５１は対応する暖房端末９４，９５の作動状況に関する情報（ＯＮ／ＯＦＦ、端末リモコンによる温度等の設定情報及び操作情報）を熱源機コントローラ９１に送信し、熱源機コントローラ９１はそれらの情報に基づいて熱源機９の作動制御を実行するようになっている。例えば、ある暖房端末９４がＯＮ操作されれば、その情報を受けて温水の循環供給を開始させる等の作動制御を実行するようになっている。なお、上述の双方向端末と端末リモコンとの組み合わせ如何については暖房端末は具体的に何であるかによって変わり、暖房端末が例えば上記の浴室乾燥機である場合には、双方向端末（例えば９４１）と端末リモコン（例えば９４２）とが共に備えられているものの、暖房端末が例えば上記の床暖房機である場合には、その床暖房機の暖房リモコンがそれ自体で上記の双方向端末（例えば９４１）と端末リモコン（例えば９４２）との双方の機能を有するように構成されている。
【００３７】
上記熱源機コントローラ９１には第１実施形態と同様に熱源機リモコン９２が双方向通信可能に接続されており、この熱源機リモコン９２は第１実施形態の熱源機リモコン６２と同様に通信インタフェース回路４４を介してアダプタ４の制御部４１と双方向通信可能に接続されると共に、次のような連動設定手段９３が付加されている。すなわち、この連動設定手段９３は、上記の双方向端末９４１，９５１，…のいずれか１つ又は２つ以上と、ＨＡ端末５ａ，５ｂ，…のいずれか１つ又は２つ以上との間での連動動作について連動設定するものであり、ユーザが設定操作をするための連動設定操作部と、この設定操作部により入力設定された連動設定情報を通信インタフェース回路４４を介して制御部４１に送信する送信処理部とを備えている。
【００３８】
上記連動設定操作部は、第１実施形態において説明したものと同様に、熱源機リモコン９２に既設の操作スイッチ類や表示部９２１等を用いて連動設定情報を入力設定し得るようになっている。この場合の、連動設定情報における関連づけ対象の特定としては、双方向端末９４１，９５１，…の内の連動させたいものとしてユーザが任意に選択した１又は２以上の双方向端末（例えば９４１）、及び、ＨＡ端末５ａ，５ｂ，…の内の連動させたいものとしてユーザが任意に選択した１又は２以上のＨＡ端末（例えば５ａ）をそれぞれ特定する情報とし、関連付け設定としては、双方向端末９４１及びＨＡ端末５ａの内でいずれか１又は２以上を主動側／従動側にして、主動側においてどのような動作変化（ＯＮ作動からＯＦＦ作動，又は，ＯＦＦ作動からＯＮ作動）を検出すれば、従動側にどのような連動動作（ＯＮ作動からＯＦＦ作動，又は，ＯＦＦ作動からＯＮ作動）をさせるのかという動作を関連付ける設定情報とする。従って、例えば双方向端末９４１のＯＮ作動を検出すれば、ＨＡ端末５ａを連動させてＯＮ作動させるというように、双方向端末９４１を主動側に、ＨＡ端末５ａを従動側にそれぞれ設定する第１のケースと、ＨＡ端末５ａのＯＮ作動を検出すれば、双方向端末９４１を連動させてＯＮ作動させるというように、ＨＡ端末５ａを主動側に、双方向端末９４１を従動側にそれぞれ設定する第２のケースとがある。又、その関連付けの内容も、主動側及び従動側の対象がそれぞれ１つの場合であっても、主動側がＯＮ作動されれば、従動側を連動させてＯＮ作動又はＯＦＦ作動させるというものと、主動側がＯＦＦ作動されれば、従動側を連動させてＯＮ作動又はＯＦＦ作動させるというものとの４つの組み合わせがある。
さらに、主動側として２以上（２以上の双方向端末、２以上のＨＡ端末、又は、双方向端末とＨＡ端末とかの組み合わせからなる２以上）を設定したり、従動側として２以上（２以上の双方向端末、２以上のＨＡ端末、又は、双方向端末とＨＡ端末とかの組み合わせからなる２以上）を設定したりして、それぞれ任意の連動作動状況になるように関連付けてもよい。例えば、主動側としてＨＡ端末５ａ及び双方向端末９４１の２つの組み合わせを設定し、従動側としてＨＡ端末５ｂを設定した場合において、ＨＡ端末５ａがＯＮ作動され、かつ、双方向端末９４１がＯＦＦ作動されれば、ＨＡ端末５ｂを連動させてＯＮ作動させるというように主動側として２以上を設定するケースや、主動側としてＨＡ端末５ａを設定し、従動側として双方向端末９４１及びＨＡ端末５ｂの２つの組み合わせを設定した場合において、ＨＡ端末５ａがＯＮ作動されれば、双方向端末９４１を連動させてＯＮ作動させ、かつ、ＨＡ端末５ｂを連動させてＯＦＦ作動させるというように従動側として２以上を設定するケース等を選択して入力設定するようにしてもよい。以下、関連付け対象として、双方向端末９４１と、ＨＡ端末５ａとがユーザにより選択されて設定されている場合を例にして説明を続ける。
【００３９】
第２実施形態における熱源機リモコン９２の連動設定手段９３による連動設定情報の設定や、制御部４１による監視及び連動制御を実現するために、まず、電源重畳２芯通信を用いた熱源機コントローラ９１とアダプタ４側との接続が行われることにより、熱源機コントローラ９１ではアダプタ４の存在を自動認識する一方、アダプタ４（制御部４１）では熱源機コントローラ９１の存在を自動認識する。そして、制御部４１側から熱源機コントローラ９１に対しその熱源機コントローラ９１に接続されている双方向端末９４１，９５１，…の数と種類との情報を取得して送信するように要求指令を発する一方、アダプタ４に現在接続されているＨＡ端末５ａ，５ｂ，…は何かの接続リスト情報を自動取得する。そして、制御部４１は熱源機コントローラ９１を介して双方向端末９４１，９５１，…の作動状況に関する情報を随時受信する。一方、電源重畳２芯通信を用いた熱源機リモコン９２とアダプタ４側との接続が行われることにより、熱源機リモコン９２ではアダプタ４の存在を自動認識し、そのアダプタ４に現在接続されているＨＡ端末５ａ，５ｂ，…は何かの接続リスト情報と、熱源機コントローラ９１に現在接続されている双方向端末９４１，９５１は何かの接続リスト情報とを自動取得する。他方、アダプタ４の制御部４１側では上記と同様に熱源機リモコン９２が接続されればその存在を自動認識し、熱源機リモコン９２からの連動設定情報を受信することにより、連動設定情報記憶処理部や連動処理部が動作を開始するように構成されている。要するに、熱源機９側の双方向端末９４１，９５１，…についても、連動制御に関してはアダプタ４の制御部４１が行うようになっている。
【００４０】
以下、連動制御に係る制御部４１の機能について、連動に係る部分のみを抜き出して示した図４及び図５のフローチャートを参照しつつ説明する。まず、上述の第１のケース（例えば双方向端末９４１が主動側，ＨＡ端末５ａが従動側の場合）について図４に基づいて説明すると、上記の自動取得情報に基づいて双方向端末９４１，９５１，…が熱源機コントローラ９１に接続されていること、ＨＡ端末５ａ，５ｂ，…がアダプタ４に接続されていることを条件にして（ステップＳ１１でＹＥＳ，ステップＳ１２でＹＥＳ）、上記の第１のケースに相当する双方向端末９４１を主動側としてＨＡ端末５ａを従動側とする連動設定情報の受信の有無を判定し、受信があればその今回受信した連動設定情報をＥＥＰＲＯＭ４２に記憶させる（ステップＳ１３でＹＥＳ，ステップＳ１４）。この場合、図２の場合と同様に、既に記憶設定されている関連付け対象と同じものについての連動設定情報であれば上書き保存し、新規の関連付け対象についての連動設定情報であればそのまま保存する。今回は連動設定情報の受信がなければステップＳ１４を飛ばしてステップＳ１５に進む（ステップＳ１３でＮＯ）。
【００４１】
次に、熱源機コントローラ９１を介して送信されてくる双方向端末９４１，９５１，…の作動状況に関する情報に基づきその双方向端末９４１，９５１，…に所定の動作変化（作動状況の変化）があったか否かを判定し（ステップＳ１５）、所定の動作変化が検出されれば（ステップＳ１５でＹＥＳ）、その動作変化が検出された双方向端末９４１と関連付けられて連動設定されたＨＡ端末５ａが接続されていることを確認した上で（ステップＳ１６でＹＥＳ）、そのＨＡ端末５ａに対し関連付け設定された所定の連動動作を行わせるための制御信号を送出して（ステップＳ１７）、リターンさせる。動作変化が検出された対象が連動設定の行われていない例えば双方向端末９５１であれば、これに関連付けられたＨＡ端末は存在しないため、ステップＳ１６で「ＮＯ」となって、連動動作させることなくリターンする。
【００４２】
又、上述の第２のケース（例えばＨＡ端末５ａが主動側，双方向端末９４１が従動側の場合）について図５に基づいて説明すると、ＨＡ端末５ａ，５ｂ，…がアダプタ４に接続されていること、双方向端末９４１，９５１，…が熱源機コントローラ９１に接続されていること、を条件にして（ステップＳ２１でＹＥＳ，ステップＳ２２でＹＥＳ）、上記の第２のケースに相当するＨＡ端末５ａを主動側として双方向端末９４１を従動側とする連動設定情報の受信の有無を判定し、受信があればその今回受信した連動設定情報をＥＥＰＲＯＭ４２に記憶させる（ステップＳ２３でＹＥＳ，ステップＳ２４）。この場合、上記と同様に、既に記憶設定されている関連付け対象と同じものについての連動設定情報であれば上書き保存し、新規の関連付け対象についての連動設定情報であればそのまま保存する。今回は連動設定情報の受信がなければステップＳ２４を飛ばしてステップＳ２５に進む（ステップＳ２３でＮＯ）。
【００４３】
次に、ＨＡ端末５ａ，５ｂ，…のモニタ信号に基づきそのＨＡ端末５ａ，５ｂ、…に所定の動作変化（作動状況の変化）があったか否かを判定し（ステップＳ２５）、所定の動作変化が検出されれば（ステップＳ２５でＹＥＳ）、その動作変化が検出されたＨＡ端末５ａと関連付けられて連動設定された双方向端末９４１が接続されていることを確認した上で（ステップＳ２６でＹＥＳ）、熱源機コントローラ９１に対しその双方向端末９４１ａに対し関連付け設定された所定の連動動作を行わせるように指令信号を送出し、熱源機コントローラ９１を介して双方向端末９４１に所定の連動動作を行わせ（ステップＳ２７）、リターンさせる。動作変化が検出された対象が連動設定の行われていない例えばＨＡ端末５ｂであれば、これに関連付けられた双方向端末は存在しないため、ステップＳ２６で「ＮＯ」となって、連動動作させることなくリターンする。
【００４４】
以上の連動制御のフローチャートにおいて、上記の第１のケース（図４参照）の場合、主動側の例えば双方向端末９４１が動作変化するトリガーとしては、例えばユーザが携帯端末８を用いて作動指令を監視サーバ２に発し、これに基づいて監視サーバ２からの指令に基づきアダプタ４の制御部４１及び熱源機コントローラ９１を介して送信される双方向端末９４１へのＯＮ作動指令／ＯＦＦ作動指令の他に、端末リモコン９４２又は熱源機リモコン９２を用いたユーザ自身のＯＮ／ＯＦＦ操作に基づく場合もある。又、同様に、第２のケース（図５参照）の場合においても、主動側の例えばＨＡ端末５ａが動作変化するトリガーとしては、第１実施形態でも説明したように、監視サーバ２からの制御信号に基づく以外に、ユーザ自身のＯＮ／ＯＦＦ操作に基づく場合もある。
【００４５】
以上でユーザ自身が自己の事情や都合に応じて連動設定した対象の双方向端末９４１，９５１，…と、ＨＡ端末５ａ，５ｂ，…との間での連動動作を自動的に行うことができ、特に、従来は熱源機９の側だけで作動制御が行われていた暖房端末９４，９５の作動に連動させて、ＨＡ端末５ａ，５ｂ，…をも自動的に作動させることができるようになる。例示すると、図６（ａ）に示すようにユーザが主動側として浴室１１に設置された暖房端末の一つである浴室乾燥機１２（現実にはこれに内蔵された双方向端末９４１）を選択・設定し、従動側として浴室１１に設けられたＨＡ端末である電動開閉窓１３，１４を選択・設定して所定の連動設定操作をした場合には、浴室乾燥機１２がＯＮ作動（運転作動）されれば、電動開閉窓１３，１４も連動させて自動的かつ強制的にＯＦＦ作動（閉作動）させることができることになり、ユーザにとって利便性の向上が図られることになる。別の例としては、図６（ｂ）に示すようにユーザが主動側として居間１５に設置された暖房端末の一つである床暖房機１６（現実には上述の如く双方向端末９４１と端末リモコン９４２の双方の役割を果たす暖房リモコン）を選択・設定し、従動側として居間１５に設けられたＨＡ端末である電動開閉窓１７，１８を選択・設定して所定の連動設定操作をした場合には、床暖房機１６がＯＮ作動（運転作動）されれば、電動開閉窓１７，１８も連動させて自動的かつ強制的にＯＦＦ作動（閉作動）させることができることになり、ユーザにとって利便性の向上が図られることになる上に、暖房用放熱が無駄に逃げることを回避して省エネルギー化も図れることになる。
【００４６】
＜他の実施形態＞
なお、本発明は上記第１及び第２実施形態に限定されるものではなく、その他種々の実施形態を包含するものである。すなわち、上記第１実施形態では、連動対象としてＨＡ端末５ａ，５ｂを示したが、ＨＡ端子を設けていない通常のＡＣ１００Ｖの商用電源機器を対象としても連動設定は可能である。かかる商用電源機器を例えば電源のＯＮ／ＯＦＦ切換用のインタフェースを介して制御部４１に接続し、ＯＮ／ＯＦＦの制御をそのインタフェースをＯＮ／ＯＦＦすることにより行い、モニタリングをそのインタフェースのＯＮかＯＦＦかの状態検出を行うことにより連動動作が可能となる。
【００４７】
又、上記第１及び第２実施形態では、記憶装置であるＥＥＰＲＯＭ４２がアダプタ(中継制御装置)４に内蔵されている場合について説明したが、これに限らず、上記ＥＥＰＲＯＭを熱源機リモコン６２，９２又は熱源機コントローラ６１，９１に備えるようにしてもよい。連動設定情報を記憶するＥＥＰＲＯＭを例えば熱源機リモコン６２，９２に備えた場合には、停電等の通電遮断状態から通電復帰したときに、他の装置等から連動設定情報を新たに取得するための通信をすることなしに、内蔵されたＥＥＰＲＯＭから連動設定情報を読み出して表示部６２１，９２１に表示させることができる。あるいは、連動設定情報を記憶するＥＥＰＲＯＭを例えば熱源機コントローラ６１，９１に備えた場合には、その熱源機コントローラ６１，９１が何らかの原因で故障し新しいものと交換する必要が生じたときに、新旧の両基板間を接続し、このような熱源機コントローラが通常有している自動データ移植機能を用いて新旧の両ＥＥＰＲＯＭ間で連動設定情報の自動引き継ぎを行えば、新熱源機コントローラのＥＥＰＲＯＭに連動設定情報を組み込むことができ、新たな連動設定情報の入力設定操作を不要とすることができる。なお、上記ＥＥＰＲＯＭを熱源機リモコン６２，９２又は熱源機コントローラ６１，９１に備えるようにした場合には、アダプタ４の制御部４１は連動制御を実行する度に熱源機リモコン６２，９２又は熱源機コントローラ６１，９１との間で通信してそのＥＥＰＲＯＭに記憶された連動設定情報を取得するようにすればよい。
【図面の簡単な説明】
【００４８】
【図１】本発明の第１実施形態を示す模式図である。
【図２】第１実施形態の制御部の制御内容を示すフローチャートである。
【図３】第２実施形態を示す模式図である。
【図４】第２実施形態の制御部の制御内容を示すフローチャートである。
【図５】図４とは異なるケースの制御内容を示すフローチャートである。
【図６】第２実施形態の連動設定の例を示す説明図であり、図６（ａ）は浴室におけるもの、図６（ｂ）は居間におけるものをそれぞれ示す。
【符号の説明】
【００４９】
２          監視サーバ
３          Ｔ−ＮＣＵ（通信制御装置）
４          アダプタ（中継制御装置）
５ａ，５ｂ  ＨＡ端末
６，９      熱源機
７          公衆電話回線（公衆通信回線網）
４１        制御部（制御手段）
４２        ＥＥＰＲＯＭ（記憶装置）
４４        通信インタフェース回路（第１通信インタフェース手段）
４５        通信インタフェース回路（第２通信インタフェース手段）
６１，９１  熱源機コントローラ
６２，９２  熱源機リモコン
９４，９５  暖房端末
６３，９３  連動設定手段
９４１，９５１  双方向端末（端末コントローラ）
【図１】
2007166045.tif 000003
【図２】
2007166045.tif 000004
【図３】
2007166045.tif 000005
【図４】
2007166045.tif 000006
【図５】
2007166045.tif 000007
【図６】
2007166045.tif 000008